(57)【要約】【課題】操作し難いという状況を解消することのできる「電子機器」を提供することである。【解決手段】操作部１２と、出力部１３とを有し、操作部１２での操作に基づいて出力部１３にて情報出力がなされるとともに、接続される外部機器（２０、３０）と相互に情報の送受を行う電子機器であって、操作部１２での操作に対応した出力部１３での情報出力の仕様であるユーザインタフェース仕様に従って前記操作部での操作に基づいた前記出力部での情報出力の制御を行う複数のユーザインタフェースモジュール１１１、１１２と、前記複数のユーザインタフェース１１１、１１２から、接続される外部機器（２０、３０）の種類に対応したユーザインタフェース仕様のユーザインタフェースモジュールを選択して有効にするユーザインタフェース制御手段（Ｓ１６、Ｓ１９）とを有する構成となる。【選択図】図９
2014228927.tif 000002
【特許請求の範囲】
【請求項１】
操作部と、出力部とを有し、前記操作部での操作に基づいて前記出力部にて情報出力がなされるとともに、接続される外部機器と相互に情報の送受を行う電子機器であって、
前記操作部での操作に対応した前記出力部での情報出力の仕様であるユーザインタフェース仕様に従って前記操作部での操作に基づいた前記出力部での情報出力の制御を行う複数のユーザインタフェースモジュールと、
前記複数のユーザインタフェースから、接続される外部機器の種類に対応したユーザインタフェース仕様のユーザインタフェースモジュールを選択して有効にするユーザインタフェース制御手段とを有する電子機器。
【請求項２】
前記出力部は、画像出力を行う表示パネルを含み、
前記操作部は、前記表示パネルと一体となるタッチ操作パネルを含み、
前記複数のユーザインタフェースモジュールは、第１の種類の携帯端末に対応したユーザインタフェース仕様の第１ユーザインタフェースモジュールと、第２の種類の携帯端末に対応したユーザインタフェース仕様の第２ユーザインタフェースモジュールとを含み、
前記ユーザインタフェース制御手段は、接続される外部機器が前記第１の種類の携帯端末であるときに、前記第１ユーザインタフェースモジュールを有効にし、接続される外部機器が前記第２の種類の携帯端末であるときに、前記第２ユーザインタフェースモジュールを有効にする請求項１記載の電子機器。
【請求項３】
前記有効とされたユーザインタフェースモジュールのユーザインタフェース仕様によって規定されていない前記操作部での操作の発生の度合いに基づいて、当該有効とされるユーザインタフェースモジュールの適否を判定するユーザインタフェース適否判定手段と、
該ユーザインタフェース適否判定手段により、前記有効とされたユーザインタフェースモジュールが適当でないと判定されたときに、前記ユーザインタフェースモジュールに代えて他のユーザインタフェースモジュールを有効にするユーザインタフェース切換え手段とを有する請求項１または２記載の電子機器。
【請求項４】
操作部と、出力部とを有し、前記操作部での操作に基づいて前記出力部にて情報出力がなされる電子機器であって、
前記操作部での操作に対応した前記出力部での情報出力の仕様であるユーザインタフェース仕様に従って前記操作部での操作に基づいた前記出力部での情報出力の制御を行う複数のユーザインタフェースモジュールと、
前記複数のユーザインタフェースモジュールのうちのいずれかを選択して有効にするユーザインタフェース制御手段と、
前記有効とされたユーザインタフェースモジュールのユーザインタフェース仕様に規定されていない前記操作部での操作の発生の度合いに基づいて、当該有効とされたユーザインタフェースモジュールの適否を判定するユーザインタフェース適否判定手段と、
該ユーザインタフェース適否判定手段により、前記有効とされたユーザインタフェースモジュールが適当でないと判定されたときに、前記ユーザインタフェースモジュールに代えて他のユーザインタフェースモジュールを有効にするユーザインタフェース切換え手段とを有する電子機器。
【請求項５】
車載機器である請求項１乃至４のいずれかに記載の電子機器。
【発明の詳細な説明】
【技術分野】
【０００１】
本発明は、ユーザインタフェースを変えることのできる車載機器等の電子機器に関する。
【背景技術】
【０００２】
従来、特許文献１に開示される表示入力装置（電子機器）が知られている。この表示入力装置では、表示装置に表示されるボタン画像の押下（操作）をタッチ操作パネルにて検出して、押下されたボタン画像に割り当てられた動作が行われる。そして、ボタン画像に対するユーザの操作履歴に応じて、特に、頻繁に操作されるボタン画像のサイズを大きくする等して、その頻繁に操作されるボタン画像を他のボタン画像に比べて目立つようにしている。このような表示入力装置によれば、ユーザが頻繁に操作するボタン画像が特に目立つように表示されるようになるので、より使い易いものとなる。
【先行技術文献】
【特許文献】
【０００３】
【特許文献１】特開２００９−１６３６２５号公報
【発明の概要】
【発明が解決しようとする課題】
【０００４】
ところで、近年、ベーシックフォン（基本的な携帯電話器）、フィーチャーフォン（高機能化された携帯電話器）、スマートフォン（高機能化された携帯端末機器）、家電製品、パソコン、ナビゲーション機器及びＡＶ機器を含む車載機器等々、種々のユーザインタフェース仕様（操作部での操作に対応した出力部（表示部）での情報出力（画像出力）の仕様）に従って動作する様々な電子機器が混在している。このような状況において、ある特定の種類の電子機器が採用するユーザインタフェース仕様に従った操作に慣れた人は、そのユーザインタフェース仕様と全く異なるユーザインタフェース仕様に従って動作する電子機器が操作し難いと感じる場合がある。このような状況については、前述した従来の表示入力装置（電子機器）では、何ら考慮されていない。
【０００５】
本発明は、このような事情に鑑みてなされたもので、操作し難いという状況を解消することのできる電子機器を提供するものである。
【課題を解決するための手段】
【０００６】
本発明に係る電子機器は、操作部と、出力部とを有し、前記操作部での操作に基づいて前記出力部にて情報出力がなされるとともに、接続される外部機器と相互に情報の送受を行う電子機器であって、前記操作部での操作に対応した前記出力部での情報出力の仕様であるユーザインタフェース仕様に従って前記操作部での操作に基づいた前記出力部での情報出力の制御を行う複数のユーザインタフェースモジュールと、前記複数のユーザインタフェースから、接続される外部機器の種類に対応したユーザインタフェース仕様のユーザインタフェースモジュールを選択して有効にするユーザインタフェース制御手段とを有する構成となる。
【０００７】
このような構成によれば、複数のユーザインタフェースモジュールのうち、接続された外部機器の種類に対応したユーザインタフェース仕様のユーザインタフェースモジュールが有効になる。従って、操作に慣れた外部機器が採用するユーザインタフェース仕様と類似したユーザインタフェース仕様を当該外部機器の種類に対応したユーザインタエース仕様として決めておくことにより、その外部機器の操作感と類似した操作感をもって、操作部を操作することができる。
【０００８】
本発明に係る電子機器において、前記出力部は、画像出力を行う表示パネルを含み、前記操作部は、前記表示パネルと一体となるタッチ操作パネルを含み、前記複数のユーザインタフェースモジュールは、第１の種類の携帯端末に対応したユーザインタフェース仕様の第１ユーザインタフェースモジュールと、第２の種類の携帯端末に対応したユーザインタフェース仕様の第２ユーザインタフェースモジュールとを含み、前記ユーザインタフェース制御手段は、接続される外部機器が前記第１の種類の携帯端末であるときに、前記第１ユーザインタフェースモジュールを有効にし、接続される外部機器が前記第２の種類の携帯端末であるときに、前記第２ユーザインタフェースモジュールを有効にする構成とすることができる。
【０００９】
このような構成により、第１の種類の携帯端末が接続された場合、その第１の種類の携帯端末に対応したユーザインタフェース仕様の第１ユーザインタフェースモジュールが有効になる。従って、第１の種類の携帯端末が採用するユーザインタフェース仕様と類似したユーザインタフェース仕様を当該第１の種類の携帯端末に対応したユーザインタフェース仕様として決めておくことにより、その第１の種類の携帯端末の操作感と類似した操作感をもって、タッチ操作パネルでの操作を行うことができる。また、第２の種類の携帯端末が接続された場合、その第２の種類の携帯端末に対応したユーザインタフェース仕様の第２ユーザインタフェースモジュールが有効になる。従って、第２の種類の携帯端末が採用するユーザインタフェース仕様と類似したユーザインタフェース仕様を当該第２の種類の携帯端末に対応したユーザインタフェース仕様として決めておくことにより、その第２の種類の携帯端末の操作感と類似した操作感をもって、タッチ操作パネルの操作を行うことができる。
【００１０】
本発明に係る電子機器において、前記有効とされたユーザインタフェースモジュールのユーザインタフェース仕様によって規定されていない前記操作部での操作の発生の度合いに基づいて、当該有効とされるユーザインタフェースモジュールの適否を判定するユーザインタフェース適否判定手段と、該ユーザインタフェース適否判定手段により、前記有効とされたユーザインタフェースモジュールが適当でないと判定されたときに、前記ユーザインタフェースモジュールに代えて他のユーザインタフェースモジュールを有効にするユーザインタフェース切換え手段とを有する構成とすることができる。
【００１１】
このような構成により、有効とされたユーザインタフェースモジュールのユーザインタフェース仕様によって規定されていない操作部での操作の発生の度合いに基づいて当該有効とされたユーザインタフェースモジュールが適当でないと判定されたときに、そのユーザインタフェースモジュールに代えて他のユーザインタフェースモジュールが有効にさせられる。ユーザインタフェース仕様によって規定されていない操作部での操作の発生の度合いは、誤操作の度合いを表し得る。従って、誤操作の度合いの大きいユーザインタフェース仕様のユーザインタフェースモジュールを適当でないと判定することができる。この場合、誤操作の度合いの大きいユーザインタフェース仕様のユーザインタフェースモジュールに代えて他のユーザインタフェースモジュールが有効にされるので、操作し難く誤操作の度合いが大きいという状況を解消することができるようになる。
【００１２】
また、本発明に係る電子機器は、操作部と、出力部とを有し、前記操作部での操作に基づいて前記出力部にて情報出力がなされる電子機器であって、前記操作部での操作に対応した前記出力部での情報出力の仕様であるユーザインタフェース仕様に従って前記操作部での操作に基づいた前記出力部での情報出力の制御を行う複数のユーザインタフェースモジュールと、前記複数のユーザインタフェースモジュールのうちのいずれかを選択して有効にするユーザインタフェース制御手段と、前記有効とされたユーザインタフェースモジュールのユーザインタフェース仕様に規定されていない前記操作部での操作の発生の度合いに基づいて、当該有効とされたユーザインタフェースモジュールの適否を判定するユーザインタフェース適否判定手段と、該ユーザインタフェース適否判定手段により、前記有効とされたユーザインタフェースモジュールが適当でないと判定されたときに、前記ユーザインタフェースモジュールに代えて他のユーザインタフェースモジュールを有効にするユーザインタフェース切換え手段とを有する構成となる。
【００１３】
このような構成により、有効とされたユーザインタフェースモジュールのユーザインタフェース仕様によって規定されていない操作部での操作での発生の度合いに基づいて当該有効とされたユーザインタフェースモジュールが適当でないと判定されたときに、そのユーザインタフェースモジュールに代えて他のユーザインタフェースモジュールが有効にさせられる。ユーザインタフェース仕様によって規定されていない操作部の操作の発生の度合いは、誤操作の度合いを表し得る。
【００１４】
本発明に係る電子機器は、ナビゲーション機器やオーディオ機器等を含み得る車載機器とすることができる。
【発明の効果】
【００１５】
本発明によれば、操作に慣れた外部機器が採用するユーザインタフェース仕様と類似したユーザインタフェース仕様を当該外部機器の種類に対応したユーザインタフェース仕様として決めておくことにより、その外部機器の操作感と類似した操作感をもって、操作部を操作することができるので、操作し難いという状況を解消することができる。
【００１６】
また、本発明によれば、誤操作の度合いの大きいユーザインタフェース仕様のユーザインタフェースモジュールに代えて他のユーザインタフェースモジュールが有効にされるので、操作し難く誤操作の度合いが大きいという状況を解消することができるようになる。
【図面の簡単な説明】
【００１７】
【図１】本発明の実施の形態に係る電子機器（車載機器）を示すブロック図である。
【図２】クラシックユーザインタフェース仕様に従った画像出力例を示す図である。
【図３】クラシックユーザインタフェース仕様に従った画像出力及び操作例（その１）を示す図である。
【図４】クラシックユーザインタフェース仕様に従った画像出力及び操作例（その２）を示す図である。
【図５】クラシックユーザインタフェース仕様に従った画像出力及び操作例（その３）を示す図である。
【図６】スマホユーザインタフェース仕様に従った画像出力及び操作例（その１）を示す図である。
【図７】スマホユーザインタフェース仕様に従った画像出力及び操作例（その２）を示す図である。
【図８】スマホユーザインタフェース仕様に従った画像出力及び操作例（その３）を示す図である。
【図９】ユーザインタフェースモジュールの切換え処理の手順の一例を示すフローチャートである。
【図１０】車載機器とフィーチャーフォンとがブルートゥースの通信システムにて接続された場合の構成例を示すブロック図である。
【図１１】車載機器とスマートフォンとがブルートゥースの通信システムにて接続された場合の構成例を示すブロック図である。
【図１２】ユーザインタフェースモジュールの切換え処理の手順の他の一例を示すフローチャートである。
【図１３】ユーザインタフェースモジュールの適否判定の処理手順を示すフローチャートである。
【発明を実施するための形態】
【００１８】
以下、本発明の実施の形態について図面を用いて説明する。
【００１９】
本発明の実施の一形態に係る電子機器は図１に示すように構成される。図１に示す電子機器は、車載機器である。
【００２０】
図１において、車載機器１００は、コンピュータユニット（ＣＰＵを含む）によって構成される処理ユニット１１を有している。処理ユニット１１には、各種音源及び映像源（例えば、ＣＤ、ＤＶＤ等）の再生処理が可能なＡＶユニット１７、及び自車両のルート案内等のナビゲーション処理を行うナビゲーションユニット１８が接続されている。また、処理ユニット１１には、スピーカ１６と接続される出力回路１５が接続されており、処理ユニット１１の制御のもと、ＡＶユニット１７及びナビゲーションユニット１８の処理に基づいた音声信号が出力回路１５を介してスピーカ１６に提供され、スピーカ１６から前記音声信号に基づいた音が発せられる。更に、処理ユニット１１には、ＡＶユニット１７及びナビゲーションユニット１８にて利用される楽曲情報や地図情報等の各種情報が格納される記憶部１４（例えば、ハードディスクドライブ）と、液晶表示パネル（ＬＣＤ）等によって構成され、画像等の各種情報を表示する表示部１３と、表示部１３の液晶表示パネルと一体化されたタッチ操作パネルを含み、処理に対する指示や各種情報を入力するために用いられる操作部１２とが接続されている。
【００２１】
また、車載機器１００は、例えば、ブルートゥース（登録商標）等の近距離無線通信のアルゴリズムに従って通信を行う通信ユニット１９を有している。通信ユニット１９は、処理ユニット１１の制御のもと、車室内に存在する同じ近距離無線通信のアルゴリズムにて通信を行う通信ユニットを搭載した携帯端末機器と通信を行うことができる。処理ユニット１１（車載機器１００）は、通信ユニット１９を介して接続される携帯端末機器と相互に情報の送受を行うことができる。
【００２２】
処理ユニット１１は、制御モジュール１１０、第１ユーザインタフェースモジュール（以下、第１ＵＩモジュールという）１１１、及び第２ユーザインタフェースモジュール（以下、第２ＵＩモジュールという）１１２を有している。それら制御モジュール１１０、第１ＵＩモジュール１１１及び第２ＵＩモジュール１１２のそれぞれは、ハードウエアとしての処理ユニット１１にて実行されるソフトウエア（プログラム）により構成されている。
【００２３】
第１ＵＩモジュール１１１は、多くのフィーチャーフォンやベーシックフォン（携帯電話器）で採用されるＵＩ（ユーザインタフェース）仕様に類似したＵＩ仕様（以下、クラシックＵＩ仕様という）に従って、操作部１２（タッチ操作パネル）での操作に基づいた表示部１３（表示パネル）での画像出力の制御を行う。第１ＵＩモジュール１１１は、例えば、図２に示すように、タッチ操作パネル（操作部１２）と一体となった表示パネル（表示部１３）に、地図画像とともに「広域」操作ボタン１３１及び「詳細」操作ボタンが表示されるように画像出力制御を行う。また、第１ＵＩモジュール１１１は、図３に示すように、「広域」操作ボタン１３１の操作（タッチ操作パネルに対する操作）に基づいて地図画像が縮小するように画像出力の制御を行い、図４に示すように、「詳細」操作ボタン１３２の操作（タッチ操作パネルの操作）に基づいて地図画像が拡大するように画像出力の制御を行う。また、第１ＵＩモジュール１１１は、例えば、図５に示すように、表示パネル（表示部１３）に、複数の項目が配列されたリスト画像とともにスクロールボタンが表示されるように画像出力を行わせ、そのスクロールボタンの操作（タッチ操作パネルの操作）に基づいてリスト画像がスクロールされるように画像出力の制御を行う。
【００２４】
このように第１ＵＩモジュール１１１のクラシックＵＩ仕様は、操作ボタンを操作することにより表示部１３での表示内容が変化するという点で、多くのフィーチャーフォンやベーシックフォンの携帯電話器で採用されるＵＩ仕様に類似している。そして、制御モジュール１１０において、このクラシックＵＩ仕様の第１ＵＩモジュール１１１と、フィーチャーフォンやベーシックフォンの携帯電話器（機種ＩＤ情報）との対応付けがなされている。
【００２５】
第２ＵＩモジュール１１２は、多くのスマートフォンで採用されるＵＩ仕様に類似したＵＩ仕様（以下、スマホＵＩ仕様という）に従って、操作部１２（タッチ操作パネル）でのタッチ操作に基づいた表示部１３（表示パネル）での画像出力の制御を行う。第２ＵＩモジュール１１２は、例えば、図６に示すように、タッチ操作パネル（操作部１２）と一体となった表示パネル（表示部１３）に、特に操作ボタンが現れることなく地図画像が表示されるように画像出力制御を行う。そして、第２ＵＩモジュール１１２は、図６に示すように、タッチ操作パネル（操作部１２）に触れた２本の指を近づけるピッチイン操作に基づいて地図画像が縮小するように画像出力の制御を行い、図７に示すように、タッチ操作パネル（操作部１２）に触れた２本の指を広げるピッチアウト操作に基づいて地図画像が拡大するように画像出力の制御を行う。また、第２ＵＩモジュール１１２は、例えば、図８に示すように、複数の項目が配列されたリスト画像が表示された表示パネル（表示部１３）と一体となるタッチ操作パネル（操作部１２）に触れた指を滑らせるフリック操作に基づいてリスト画像がスクロールされるように画像出力の制御を行う。
【００２６】
このように第２ＵＩモジュール１１２のスマホＵＩ仕様は、ピッチイン操作、ピッチアウト操作及びフリック操作等によって表示内容が変わるという点で、多くのスマートフォンで採用されるＵＩ仕様に類似している。そして、制御モジュール１１０において、このスマホＵＩ仕様の第２ＵＩモジュール１１２と、スマートフォン（機種ＩＤ情報）との対応付けがなされている。
【００２７】
なお、クラシックＵＩ仕様の第１ＵＩモジュール１１１と、フィーチャーフォンやベーシックフォンの携帯電話器（機種ＩＤ情報）との対応付けや、スマホＵＩ仕様の第２ＵＩモジュール１１２と、スマートフォン（機種ＩＤ情報）との対応付けは、制御モジュール１１０にてなされていなくても、それら対応付けを表す情報を予め記憶部１４に記憶させておいてもよい。
【００２８】
処理ユニット１１における制御モジュール１１０は、図９に示す処理手順に従って、ＵＩモジュールの切換えを行う。
【００２９】
車載機器１００の電源がオンされると、制御モジュール１１０は、前回と同じＵＩモジュールを有効にする（Ｓ１１）。例えば、クラシックＵＩ仕様の第１ＵＩモジュール１１１が有効にされる。この状態で、有効となる第１ＵＩモジュール１１１は、クラシックＵＩ仕様に従って、例えば、図２〜図５に示すように、表示パネル（表示部１３）に一体化されたタッチ操作パネル（操作部１２）での操作に基づいた表示パネル（表示部１３）での画像出力の制御を行う。第１ＵＩモジュール１１１を有効にした後、制御モジュール１１０は、携帯端末機器が、近距離無線通信によって接続されるか否かを判定している（Ｓ１２）。
【００３０】
日頃、スマートフォンを利用しており、クラシックＵＩ仕様より、スマホＵＩ仕様に従った操作に慣れている利用者（車両の乗員）が、図１０に示すように、自分が所持するスマートフォン２０の通信機能を起動させると、処理ユニット１１（制御モジュール１１０を含む）は、通信ユニット１９を介してスマートフォン２０とブルートゥース（登録商標）等の近距離無線通信によりスマートフォン２０と接続され、相互に情報の送受が可能になる。このようにスマートフォン２０が処理ユニット１１（車載機器１００）に接続されたと判定する（Ｓ１２でＹＥＳ）、制御モジュール１１０は、通信ユニット１９により受信されるスマートフォン２０の機種ＩＤ情報を取得し（Ｓ１３）、その機種ＩＤ情報がスマートフォンを表しているか否かを判定する（Ｓ１４）。そして、その機種ＩＤ情報がスマートフォンを表していると判定すると（Ｓ１４でＹＥＳ）、制御モジュール１１０は、第２ＵＩモジュール１１２が有効でないことを確認した（Ｓ１５でＮＯ）後に、図１０に示すように、第１ＵＩモジュール１１１（破線矩形ブロック参照）に代えて第２ＵＩモジュール１１２を有効にする（Ｓ１６：ユーザインタフェース制御手段）。その後、制御モジュール１１０は、接続されたスマートフォン２０の接続が切断されるか否かを繰り返し判定する（Ｓ１７）。
【００３１】
クラシックＵＩ仕様の第１ＵＩモジュール１１１に代えて有効となった第２ＵＩモジュール１１２は、スマホＵＩ仕様に従って、例えば、図６〜図８に示すように、表示パネル（表示部１３）に一体化されたタッチ操作パネル（操作部１２）での操作に基づいた表示パネル（表示部１３）での画像出力の制御を行う。制御モジュール１１０は、スマートフォン２０での通信機能の停止などにより、スマートフォン２０との接続が切断されたと判定すると（Ｓ１７でＹＥＳ）、第２ＵＩモジュール１１２を有効にした状態を維持させつつ、携帯端末機器が接続されるか否かの判定を繰り返し実行する（Ｓ１２）。
【００３２】
次に、スマホＵＩ仕様の第２ＵＩモジュール１１２が有効な状態において、日頃、ベーシックフォンやフィーチャーフォン等の携帯電話器を利用しており、スマホＵＩ仕様より、クラシックＵＩ仕様に従った操作に慣れている利用者が、図１１に示すように、自分が所持する携帯電話器３０の通信機能を起動させると、処理ユニット１１（制御モジュール１１０を含む）は、通信ユニット１９を介して携帯電話器３０と近距離無線通信により接続される。このように携帯電話器３０が処理ユニット１１（車載機器１００）に接続されたと判定すると（Ｓ１２でＹＥＳ）、制御モジュール１１０は、通信ユニット１９により受信される携帯電話器３０の機種ＩＤ情報を取得し（Ｓ１３）、その機種ＩＤ情報がスマートフォンを表しているか否かを判定する（Ｓ１４）。そして、その機種ＩＤ情報がスマートフォンではなく、ベーシックフォンやフィーチャーフォン等の携帯電話器を表していると判定すると（Ｓ１４でＮＯ）、制御モジュール１１０は、第１ＵＩモジュール１１１が有効でないことを確認した（Ｓ１８でＮＯ）後に、図１１に示すように、第２ＵＩモジュール１１２（破線矩形ブロック参照）に代えて第１ＵＩモジュール１１２を有効にする（Ｓ１９：ユーザインタフェース制御手段）。その後、制御モジュール１１０は、前述した場合と同様に、接続された携帯電話器３０の接続が切断されたか否かを繰り返し判定する（Ｓ１７）。
【００３３】
なお、上述したユーザインタフェースモジュールの切換えにおいて、第２ＵＩモジュールが有効な状態において、スマートフォン２０が接続された場合（Ｓ１５でＹＥＳ）、ユーザインタフェースモジュールの切換えがなされることなく、第２ＵＩモジュールが有効な状態が維持される。また、第１ＵＩモジュール１１１が有効な状態において、携帯電話器３０が接続された場合（Ｓ１８でＹＥＳ）にも、ユーザインタフェースモジュールの切換えがなされることなく、第１ＵＩモジュール１１１が有効な状態が維持される。
【００３４】
上述した車載機器１００では、クラシックＵＩ仕様より、スマホＵＩ仕様に従った操作に慣れている利用者（車両の乗員）は、当初クラシックＵＩ仕様に従って、表示パネル（表示部１３）に一体化されたタッチ操作パネル（操作部１２）での操作に基づいた表示パネル（表示部１３）での画像出力がなされている（図２〜図５参照）状況であっても、スマートフォン２０を接続する（図１０参照）ことにより、クラシックＵＩ仕様の第１ＵＩモジュール１１１に代えてスマホＵＩ仕様の第２ＵＩモジュール１１２が有効になるので、自分の慣れ親しんだ操作感と類似した操作感をもってタッチ操作パネル（操作部１２）の操作を行うことができる。また、スマホＵＩ仕様より、クラシックＵＩ仕様に従った操作に慣れている利用者は、当初スマホＵＩ仕様に従って、表示パネル（表示部１３）に一体化されたタッチ操作パネル（操作部１２）での操作に基づいた表示パネル（表示部１３）での画像出力がなされている（図６〜図８参照）状況であっても、ベーシックフォンやフィーチャーフォン等の携帯電話器３０を接続する（図１１参照）ことにより、スマホＵＩ仕様の第２ＵＩモジュール１１１に代えてクラシックＵＩ仕様の第１ＵＩモジュール１１２が有効になるので、自分の慣れ親しんだ操作感に類似した操作感をもってタッチ操作パネル（操作部１２）の操作を行うことができる。
【００３５】
従って、１台の車両を複数の利用者により利用する場合、その車両に搭載される上述した車載機器１００によれば、各利用者は、操作の慣れた携帯端末機器（スマートフォン２０、携帯電話器２０）を接続することにより、その慣れ親しんだ操作感に類似した操作感をもってタッチ操作パネル（操作部１２）を操作することができる。よって、各利用者の操作がし難いという状況を解消することができる。
【００３６】
上述した車載機器１００では、近距離無線通信によって携帯端末機器（スマートフォン２０、携帯電話器３０）と接続されるものであったが、これに限られず、例えば、有線にて接続されるものであってもよい。
【００３７】
また、クラシックＵＩ仕様の第１ＵＩモジュール１１１とスマホＵＩ仕様の第２ＵＩモジュール１１２の２つのＵＩモジュールを切り換えるものであったが、それぞれ異なったＵＩ仕様を採用する３つ以上のＵＩモジュールを携帯端末機器等の外部機器の種類に応じて切り換えるようにすることもできる。
【００３８】
次に、図９に示す処理手順に代えて、図１２に示す処理手順に従ってユーザインタフェースモジュールを切り換えることができる。この例は、誤操作の発生度合に基づいてユーザインタフェースモジュールを切り換えることを特徴としている。
【００３９】
通常時において、車載機器１００の電源がオンされると、制御モジュール１１０は、クラシックＵＩ仕様の第１ＵＩモジュール１１１を優先的に有効にさせる（Ｓ２１）。この第１ＵＩモジュール１１１によりクラシックＵＩ仕様に従ってタッチ操作パネル（操作部１２）での操作に基づいた表示パネル（表示部１３）での画像出力がなされている（例えば、図２〜図５参照）状態において、制御モジュール１１１は、後述するＵＩ切換えフラグがオンになっているか否か（Ｓ２２）、携帯端末機器が接続されたか否かを判定している（Ｓ２３）。その過程で、前述したように携帯端末機器が接続されると、（Ｓ２２でＮＯ、Ｓ２３でＹＥＳ）、制御モジュール１１０は、その接続された携帯端末機器がスマートフォン２０であるか否かを判定し（Ｓ２４、Ｓ２５）、スマートフォン２０であれば（Ｓ２５でＹＥＳ）、第１ＵＩモジュール１１１に代えてスマホＵＩ仕様の第２ＵＩモジュール１１２を有効にする（Ｓ２６）。一方、接続された携帯端末機器が携帯電話３０であると（Ｓ２５でＮＯ）、制御モジュール１１０は、クラシックＵＩ仕様の第１ＵＩモジュール１１１を有効にした状態を維持する。
【００４０】
その後、第２ＵＩモジュール１１２または第１ＵＩモジュール１１１によって、対応するＵＩ仕様（クラシックＵＩ仕様またはスマホＵＩ仕様）に従って、タッチ操作パネル（操作部１２）での操作に基づいた表示パネル（表示部１３）での画像出力の制御がなされる。そして、携帯端末機器の接続が切断されると（Ｓ２７でＹＥＳ）、再度、前記ＵＩ切換えフラグがオンになったか否かを判定しつつ、携帯端末機器が接続されるかを繰り返し判定する（Ｓ２３）。以後、制御モジュール１１０は、同様手順に従った処理を実行する。
【００４１】
上述した手順に従った処理の過程で、制御モジュール１１０は、クラシックＵＩ仕様の第１ＵＩモジュール１１１が有効となっている際に、図１３に示す手順に従って、その第１ＵＩモジュール１１１の適否判定の処理を行っている。
【００４２】
図４において、制御モジュール１１０は、タッチ操作パネル（操作部１２）での操作入力に基づいて、誤り操作の監視処理を行っている（Ｓ３１）。この誤り操作の監視処理では、操作部１２からの信号に基づいて、有効となる第１ＵＩモジュール１１１のクラシックＵＩ仕様によって規定されていないタッチ操作パネル（操作部１２）での操作、例えば、図６〜図８に示すような、ピッチイン操作、ピッチアウト操作、フリック操作の回数の、全操作回数に対する割合が、そのクラシックＵＩ仕様で規定されていない操作の発生の度合い、即ち、誤操作の発生の度合いとして算出される。例えば、日頃、スマートフォンを使い慣れている利用者は、クラシックＵＩ仕様に従った操作ではなく、うっかりスマートフォンにて採用されるＵＩ仕様に従った操作を行い易い。このような場合、前記誤操作の発生の度合いは、大きくなる。
【００４３】
そして、制御モジュール１１０は、前記誤り操作の監視処理（Ｓ３１）の過程で前記誤操作の発生の度合いが予め定めた基準値を越えているか否かを判定している（Ｓ３２：ユーザインタフェース適否判定手段）。この誤操作の発生の度合いが前記基準値を越えると（Ｓ３２でＹＥＳ）、制御モジュール１１０は、現在有効となっている第１ＵＩモジュールが適当でないとして、ＵＩ切換えフラグをオン状態にする。以後、オン状態となったＵＩ切換えフラグが保存される。
【００４４】
図１２に示すユーザインタフェースモジュールの切換えに係る処理において、ＵＩ切換えフラグがオン状態になっていると（Ｓ２２でＹＥＳ）、制御モジュール１１０は、ＵＩモジュールを切り換える旨のメッセージを表示部１３に表示させ（Ｓ４１）、その後、第１ＵＩモジュール１１１に代えてスマホＵＩ仕様の第２ＵＩモジュール１１２を有効にする（Ｓ４２：ユーザインタフェース切換え手段）。その後、車載機器１００の電源がオフされるまで、第２ＵＩモジュールが有効となった状態が維持される。これにより、スマホＵＩ仕様に従って、図６〜図８に示すように、タッチ操作パネル（操作部１２）での操作に基づいた表示パネル（表示部１３）での画像出力がなされる。
【００４５】
このように、誤操作の発生度合に基づいてユーザインタフェースモジュールを切り換えるようにすれば、スマートフォンを使い慣れている利用者が操作する場合のように、誤操作の度合いが大きくなるクラシックＵＩ仕様の第１ＵＩモジュール１１１に代えてスマホＵＩ仕様の第２ＵＩモジュール１１２が有効にされるので、操作し難く誤操作の度合いが大きいという状況を解消することができるようになる。
【００４６】
なお、図１３の処理に従ってオン状態になったＵＩ切換えフラグは、別途リセットされるまで、そのオン状態が維持されるので、車載機器１００の電源がオンされた状態で、ＵＩ切換えフラグがオン状態であれば、その時点で有効となっている第１ＵＩモジュール１１１は、直ちに、第２ＵＩモジュール１１２に切り換えられる（Ｓ２２でＹＥＳ、Ｓ４１、Ｓ４２）。この場合、第１ＵＩモジュール１１１によりクラシックＵＩ仕様に従った操作を望む利用者は、別途ＵＩモジュールを切り換えるための操作を行うことになる。
【００４７】
前述した車載機器１００では、操作部１２はタッチ操作パネルを含むものであって、表示部１３は液晶表示パネルであったが、操作部１２及び表示部１３の構成はこれに限定されない。例えば、空間内での人の動作を操作として認識する、所謂、ジェスチャセンサ型の操作部１２であってもよい。
【００４８】
また、本発明は、車載機器１００に限定されず、他の電子機器に適用することもできる。
【産業上の利用可能性】
【００４９】
本発明に係る電子機器は、操作し難いという状況を解消することができるという効果を有し、ユーザインタフェースを変えることのできる車載機器等の電子機器として有用である。
【符号の説明】
【００５０】
１１  処理ユニット
１２  操作部
１３  表示部
１４  記憶部
１５  出力回路
１６  スピーカ
１７  ＡＶユニット
１８  ナビゲーションユニット
１９  通信ユニット
【図１】
2014228927.tif 000003
【図２】
2014228927.tif 000004
【図３】
2014228927.tif 000005
【図４】
2014228927.tif 000006
【図５】
2014228927.tif 000007
【図６】
2014228927.tif 000008
【図７】
2014228927.tif 000009
【図８】
2014228927.tif 000010
【図９】
2014228927.tif 000011
【図１０】
2014228927.tif 000012
【図１１】
2014228927.tif 000013
【図１２】
2014228927.tif 000014
【図１３】
2014228927.tif 000015